(57)【要約】      （修正有）【課題】少なくとも二つを組合わせるＬＥＤ防爆ランプ組合せ構成を提供する。【解決手段】少なくとも二つの載置コンポーネント２とＬＥＤ発光素子３と、少なくとも一つの接続ユニット４とを包括する少なくとも二つのＬＥＤ防爆ランプを組合わせるためのＬＥＤ防爆ランプ組合せ構成１とする。各載置コンポーネント２は、本体２１と、上端に設ける凸設部２３と、収容室２２と、連通する少なくとも一つの第一ジョイント部２４と、貫通孔２４１と、ポジションベース２４４とを包括し、ＬＥＤ発光素子３は、載置コンポーネント２の凸設部２３上に接続し、接続ユニット４は、貫通孔２４１を貫通する接続管体４１と、ポジションベース２４４に螺設する少なくとも一つの第一螺設コンポーネント４５とを包括することにより、各載置コンポーネント２を互いに組合わせる。【選択図】図２
2016018777.tif 000002
【特許請求の範囲】
【請求項１】
少なくとも二つのＬＥＤ防爆ランプを組合わせるＬＥＤ防爆ランプ組合せ構成であって、
本体と、前記本体上端に設ける凸設部と、前記本体及び前記凸設部の中にある収容室と、前記本体の一端に設置し且つ水平軸方向を呈して前記収容室に連通する少なくとも一つの第一ジョイント部とを包括する少なくとも二つの載置コンポーネントと、
各前記載置コンポーネントの前記凸設部上に接続する少なくとも二つのＬＥＤ発光素子と、
両端を各前記載置コンポーネントの前記第一ジョイント部にそれぞれ接続し、各前記載置コンポーネントを互いに組合わせる接続管体を包括する少なくとも一つの接続ユニットとを包括することを特徴とするＬＥＤ防爆ランプ組合せ構成。
【請求項２】
前記本体は、前記本体に接続して前記収容室に連通する少なくとも一つの第二ジョイント部をさらに包括し、前記第一ジョイント部とずらして設置することを特徴とする請求項１に記載のＬＥＤ防爆ランプ組合せ構成。
【請求項３】
前記第二ジョイント部は、前記本体から離れて設置する固定台と、前記第二ジョイント部の中に位置し且つ前記収容室と連通する納置空間とを有することを特徴とする請求項２に記載のＬＥＤ防爆ランプ組合せ構成。
【請求項４】
前記納置空間は、前記収容室に連通し且つ近接する第一コンパートメントと、前記第一コンパートメントに連通し且つ前記収容室から離れて設ける第二コンパートメントと、前記第二コンパートメントに連通し且つ前記第一コンパートメントから離れて設けるネジ山部分とを包括することを特徴とする請求項３に記載のＬＥＤ防爆ランプ組合せ構成。
【請求項５】
前記ＬＥＤ防爆ランプ組合せ構成は、前記納置空間に収容する電気ケーブル密封コンポーネントをさらに包括し、前記電気ケーブル密封コンポーネントは、前記第二コンパートメントに設置する防爆部材と、前記防爆部材に当接して前記ネジ山部分と螺接する圧着ボルトと、前記第二コンパートメントに位置し且つ前記防爆部材の両端にそれぞれ当接する二つのパッドとを包括することを特徴とする請求項４に記載のＬＥＤ防爆ランプ組合せ構成。
【請求項６】
各前記載置コンポーネントの前記第一ジョイント部は、前記収容室に連通して前記接続管体を貫通させるための貫通孔と、前記貫通孔に近接して前記収容室に位置し且つ前記接続管体に接続するポジションベースとを包括することを特徴とする請求項１に記載のＬＥＤ防爆ランプ組合せ構成。
【請求項７】
前記接続ユニットは、前記接続管体を各前記第一ジョイント部の前記ポジションベースに螺設する少なくとも一つの第一螺設コンポーネントをさらに包括することを特徴とする請求項６に記載のＬＥＤ防爆ランプ組合せ構成。
【請求項８】
各前記載置コンポーネントの前記第一ジョイント部は、前記貫通孔に近接し且つ前記収容室から離れて設ける少なくとも一対の螺設孔と、前記一対の螺設孔に近接し且つ前記貫通孔から離れて設ける第一環状凹スロットとをさらに包括することを特徴とする請求項６に記載のＬＥＤ防爆ランプ組合せ構成。
【請求項９】
前記接続ユニットは、前記接続管体を前記ポジションベースに螺設する前記第一螺設コンポーネントと、各前記第一環状凹スロットに位置する密封リングと、各前記一対の螺設孔に挿入する少なくとも一対の固定部材とをさらに包括することを特徴とする請求項８に記載のＬＥＤ防爆ランプ組合せ構成。
【請求項１０】
前記接続ユニットは、前記第一ジョイント部に接続する第二螺設コンポーネントをさらに包括することを特徴とする請求項１に記載のＬＥＤ防爆ランプ組合せ構成。
【発明の詳細な説明】
【技術分野】
【０００１】
本発明は、特に少なくとも二つのＬＥＤ防爆ランプを組合わせるためのＬＥＤ防爆ランプ組合せ構成に関するものである。
【背景技術】
【０００２】
現在、化学プラント、石油化学プラント、油田、炭鉱等の産業拠点において、可燃性、爆発性、酸化性、腐食性等の気体や粉塵、又は化学製品が常時、散布或いは貯蔵しているため、これ等の地点では、防爆性を有さないランプの老朽化或いは故障等により火気が発生して上記の気体や粉塵、又は化学製品が爆発する事故を未然に防ぐように、防爆ランプを使用しなければならない。
【０００３】
また、これ等爆発性を有する環境において、防爆ランプは、一定の照射範囲に限られており、防爆ランプの照射が届かない死角ができるため、様々な位置に防爆ランプを設置するか、或いは複数の防爆ランプを接続する形で照射できない死角の問題を克服する必要がある。また、一般の防爆ランプは、組合せ部材を利用してもう一つのランプと組合わせており、複数の防爆ランプを接続したい場合、更に多くの組合せ部材によって各防爆ランプ同士を組合わせる必要があり、これによって値段が高くなり、消費者の購買意欲を下げることになる。
【０００４】
さらに組合せ部材を組合わせなければならないという問題について、周知の防爆ランプの接続構成を示す図１を参照すると、二つの防爆ランプＡ１を接続したい場合、各前記防爆ランプＡ１に設ける接続ベースＡ２を複数のネジＢ１で固定するよう接続し、前記二つの防爆ランプＡ１を組合わせている。これ等ネジＢ１は前記接続ベースＡ２の外側に露出しているため、外観的に好ましくなく、これもまた消費者の購買意欲を下げることとなる。そのため、改良の余地がある。
【発明の概要】
【発明が解決しようとする課題】
【０００５】
本発明の主要な目的は、少なくとも二つのＬＥＤ防爆ランプを組合わせるＬＥＤ防爆ランプ組合せ構成を提供することにある。
【課題を解決するための手段】
【０００６】
上述の目的を達成するため、本発明は、少なくとも二つの載置コンポーネントと、少なくとも二つのＬＥＤ発光素子と、少なくとも一つの接続ユニットとを包括する少なくとも二つのＬＥＤ防爆ランプを組合わせるためのＬＥＤ防爆ランプ組合せ構成を提供している。そのうち、各前記載置コンポーネントは、本体と、前記本体上端に設ける凸設部と、前記本体及び前記凸設部の中にある収容室と、前記本体の一端に設置し且つ水平軸方向を呈して前記収容室に連通する少なくとも一つの第一ジョイント部とを包括している。各前記第一ジョイント部は、前記収容室に連通する貫通孔と、前記貫通孔に近接し且つ前記収容室から離れて設ける少なくとも一対の螺設孔と、前記一対の螺設孔に近接し且つ前記貫通孔から離れて設ける第一環状凹スロットと、前記貫通孔に近接して前記収容室に位置するポジションベースとを包括している。各前記ＬＥＤ発光素子は、各前記載置コンポーネントの前記凸設部上に接続している。前記接続ユニットは、各第一ジョイント部に接続して各前記貫通孔を貫通する接続管体と、各前記第一環状凹スロットに位置する密封リングと、各前記一対の螺設孔に挿入する少なくとも一対の固定部材と、前記接続管体を前記ポジションベースに螺設する少なくとも一つの第一螺設コンポーネントとを包括している。前記接続管体は、前記接続管体の両端にそれぞれ設置する二つの凸嵌合部と、各前記凸嵌合部に近接する少なくとも一つの第二環状凹スロットと、前記接続管体の内部に設置する通路とを包括している。
【発明の効果】
【０００７】
本発明は、以下のような利点を有している。
第一に、本発明において、各前記本体の前記第一ジョイント部は前記接続ユニットを利用してそれぞれの前記載置コンポーネントを互いに組合わせることから、複数の防爆ランプを組合わせることができる。
第二に、本発明に係る前記接続ユニットを各前記第一ジョイント部の貫通孔に設けることで、周知技術にあ外観的に好ましくないという問題点を解決できる。
第三に、本発明において、各前記第一ジョイント部の前記一対の螺設孔は前記一対の固定ユニットを合わせることにより、前記載置コンポーネントのうちの一つが異なる角度でもう一つの載置コンポーネントに組合わせることができる。
【図面の簡単な説明】
【０００８】
【図１】周知防爆ランプの接続構成を示す斜視組合図である。
【図２】本発明の第一実施例を示す斜視分解図である。
【図３Ａ】図２の斜視組合図である。
【図３Ｂ】図３Ａの３Ｂ−３Ｂ線断面図である。
【図４】本発明の第二実施例を示す斜視組合図である。
【図５】本発明の第三実施例を示す斜視分解図である。
【図６】本発明の第四実施例を示す斜視分解図である。
【図７】本発明の第五実施例を示す斜視組合図である。
【図８】本発明の第六実施例を示す局部組合図である。
【図９】本発明の第七実施例を示す局部断面図である。
【図１０】本発明の第八実施例を示す局部断面図である。
【発明を実施するための形態】
【０００９】
添付の図を参照しつつ、以下において、本発明の構成はどのように組合せ、使用するかを詳細に説明することで、本発明の目的、技術内容、特徴及びそれが達成する効果を容易に理解することができる。
【００１０】
図２、図５及び図６にあるように、本発明に係るＬＥＤ防爆ランプ組合せ構成１は少なくとも二つのＬＥＤ防爆ランプを接続するために用いることができる。本発明に係るＬＥＤ防爆ランプ組合せ構成１の第一実施例を示す図２乃至図３Ｂを参照すると、前記ＬＥＤ防爆ランプ組合せ構成１は、少なくとも二つの載置コンポーネント２と、少なくとも二つのＬＥＤ発光素子３と、少なくとも一つの接続ユニット４とを包括している。本実施例において、前記載置コンポーネント２及び前記ＬＥＤ発光素子３はそれぞれ二つ有し、前記接続ユニット４は一つ有するように設定されているが、これに限定するものではない。
そのうち、各前記載置コンポーネント２は、本体２１と、前記本体２１上端に設ける凸設部２３と、前記本体２１及び前記凸設部２３の中にある収容室２２と、前記本体２１の一端に設置し且つ水平軸方向を呈して前記収容室２２に連通する少なくとも一つの第一ジョイント部２４とを包括している。各前記凸設部２３は、複数の各前記凸設部２３に分布するように設け且つ外側に突出するフランジ２３１と、各前記フランジ２３１上に設ける第一螺設孔２３２とを包括している。各前記第一ジョイント部２４は、前記収容室２２に連通する貫通孔２４１と、前記貫通孔２４１に近接し且つ前記収容室２２から離れて設ける少なくとも一対の螺設孔２４２と、前記一対の螺設孔２４２に近接し且つ前記貫通孔２４１から離れて設ける第一環状凹スロット２４３と、前記収容室２２に位置して前記貫通孔２４１の近接するポジションベース２４４とを包括している。各前記ポジションベース２４４は、少なくとも一つの第二螺設孔２４５を包括しており、本実施例において、各前記ポジションベース２４４の前記第二螺設孔２４５を二つと設定しているが、これに限定するものではない。また、本実施例において、各前記第一ジョイント部２４の前記一対の螺設孔２４２を一対と設定しているが、これに限定するものではない。
各前記ＬＥＤ発光素子３は、各前記ＬＥＤ発光素子３の周囲に設け且つ各前記凸設部２３に向かって連設する嵌設部３０を包括している。各前記嵌合部３０は、各前記ＬＥＤ発光素子３の周囲に分布し且つそれぞれ前記凸設部２３の前記フランジ２３１に向かって連設する複数の凸ボード３１と、各前記凸ボード３１下端に設置し且つ各前記第一螺設孔２３２に向かって開設する第三螺設孔３２と、各前記第一螺設孔２３２をそれぞれ貫設し且つ各前記第三螺設孔３２に螺設する螺設部材３３とを包括することで、各前記嵌合部３０を各前記凸設部２３上に固定している。
前記接続ユニット４は、各前記第一ジョイント部２４に接続し且つ各前記貫通孔２４１に貫通する接続管体４１と各前記第一環状凹スロット２４３に位置する密封リング４２と、各前記一対の螺設孔２４２に挿入する少なくとも一対の固定部材４３と、前記接続管体４１を各前記ポジションベース２４４上に螺設する少なくとも一つの第一螺設コンポーネント４５と、前記接続管体４１上に設けるパッキン４１２とを包括している。本実施例において、前記一対の固定部材４３を一対としているが、これに限定するものではない。また、本実施例において、前記固定部材４３をピンとしているが、これに限定するものではない。前記接続管体４１は、前記接続管体４１の両端にそれぞれ設置し且つ前記貫通孔２４１に貫通して各前記ポジションベース２４４に接続する二つの凸嵌合部４４と、各前記凸嵌合部４４に近接して前記パッキン４１２を載置する少なくとも一つの第二環状凹スロット４１１と、前記接続管体４１内部に設置する通路４１３とを包括している。本実施例において、各前記凸嵌合部４４に近接する前記第二環状凹スロット４１１及び各前記第二環状凹スロット４１１の中に載置する前記パッキン４１２を二つずつ設けているが、これに限定するものではない。また、本実施例において、各前記凸嵌合部４４は、少なくとも一つの第三環状スロット４４１を包括しており、前記第一螺設コンポーネント４５は、各前記第三環状スロット４４１の両端にそれぞれ挿入して各前記ポジションベース２４４の各前記第二螺設孔２４５に螺設する複数の第一螺設部材４５１包括することで、各前記凸嵌合部４４を各前記ポジションベース２４４上に螺設している。本実施例において、各前記凸嵌合部４４の前記第三環状スロット４４１を一つ設けいているが、これに限定するものではない。また、本実施例において、前記第一螺設部材４５１を二つ設けているが、これに限定するものではない。また、本実施例において、各前記第一螺設部材４５１をネジとしているが、これに限定するものではない。さらにまた、各前記ＬＥＤ発光素子３は互いに電気的に接続し合っている。
【００１１】
再び図２乃至図３Ｂを参照すると、前記本体２１は、前記本体２１の一端に設置し且つ水平軸方向を呈して前記収容室２２に連通する少なくとも一つの第二ジョイント部２５を包括しており、前記第二ジョイント部２５は前記第一ジョイント部２４とずらして設置している。前記第二ジョイント部２５は、前記第二ジョイント部２５に位置し且つ前記収容室２２と連通して電気ケーブル密封コンポーネント５及び電気ケーブル６を収容するための納置空間２５１と、前記本体２１から離れて設置する固定台２５２とを有している。前記納置空間２５１は、前記収容室２２に連通し且つ近接して前記電気ケーブル６を貫設させるために用いる第一コンパートメント２５３と、前記第一コンパートメント２５３に連通し且つ前記収容室２２から離れて設ける第二コンパートメント２５４と、前記第二コンパートメント２５４に連通し且つ前記第一コンパートメント２５３から離れて設けるネジ山部分２５５とを包括している。
前記電気ケーブル密封コンポーネント５は、前記第二コンパートメント２５４に設置する防爆部材５１と、前記防爆部材５１に当接して前記ネジ山部分２５５と螺接する圧着ボルト５２と、前記第二コンパートメント２５４に位置し且つ前記防爆部材５１の両端にそれぞれ当接する二つのパッド５３とを包括している。本実施例において、前記パッド５３を二つ設けているが、これに限定するものではない。前記防爆部材５１は、前記電気ケーブル６を貫設させるために用いる通孔５１１を包括しており、本実施例において、前記防爆部材５１を防爆ゴムリングとしているが、これに限定するものではない。前記圧着ボルト５２は、前記電気ケーブル６を貫設させるために用いる挿通孔５２１及び前記ネジ山部分２５５と螺接する螺接部５２２を包括しており、本発明において、前記圧着ボルト５２を金属ボルトとしているが、これに限定するものではない。
前記電気ケーブル６は、前記挿通孔５２１と、これ等パッド５３と、前記通孔５１１とを貫設し且つ位置固定片７を利用して前記電気ケーブル６を前記収容室２２に固定している。本実施例において、前記電気ケーブル密封コンポーネント５は、前記第二ジョイント部２５内部に貫設しているが、これに限定するものではない。
また、前記第二ジョイント部２５を有する前記本体２１のうちの一つを天井や壁等に固定するためのベースとし、複数の螺設素子で前記固定台２５２を天井や壁等に固定し、且つ前記第二ジョイント部２５及び前記固定台２５２の数量は、必要に応じて変化し、天井や壁等に設置することができる。
【００１２】
次に、図２と併せて図４を参照すると、図４は本発明に係る第二実施例を示しており、本実施例において、前記第一ジョイント部２４の前記一対の螺設孔２４２を複数設けることができ、このことにより、前記一対の固定部材４３はそのうちの一対である前記一対の螺設孔２４２に貫設し、前記載置コンポーネント２のうちの一つを異なる角度でもう一つの前記載置コンポーネント２に組合わせている。また、その他の実施例において、前記第一ジョイント部２４の前記一対の螺設孔２４２を一対とし、二つの前記本体２１を異なる方向に向かってそれぞれを設置するには、対応し合う前記一対の螺設孔２４２を前記一対の固定部材４３によって貫設することで、異なる方向に向かって設置する二つの前記本体２１を組合わせて図４のような前記ＬＥＤ防爆ランプ組合せ構成１にしている。
【００１３】
次に、図２と併せて図５及び図６を参照すると、図５は本発明に係る第三実施例を示しており、本実施例において、各前記ポジションベース２４４の前記第二螺設孔２４５を一つ設けており、各前記凸嵌合部４４は、各前記ポジションベース２４４の前記第二螺設孔２４５に向かって開設する少なくとも一つの窪み穴４４２を包括しており、前記第一螺設コンポーネント４５は、前記窪み穴４４２を貫設して各前記ポジションベース２４４の前記第二螺設孔２４５に螺設する第二螺設部材４５２を包括することで、各前記凸嵌合部４４を各前記ポジションベース２４４に固定している。本実施例において、各前記凸嵌合部４４の前記窪み穴４２２及び前記第一螺設コンポーネント４５の前記第二螺設部材４５２をそれぞれ一つずつ設けているが、これに限定するものではない。本実施例において、前記第二螺設部材４５２をネジとしているが、これに限定するものではない。
また、図６は本発明に係る第四実施例を示しており、本実施例において、各前記ポジションベース２４４の前記第二螺設孔２４５を二つ設けており、各前記凸嵌合部４４は、少なくとも一つの第一凹溝４４３を包括しており、前記第一螺設コンポーネント４５は、各前記第一凹溝４４３に設ける少なくも一つの固定片４５３と、前記固定片４５３を各前記ポジションベース２４４に螺設する複数の第三螺設部材４５４とを包括している。前記固定片４５３は、前記固定片４５３の両端にそれぞれ設置し且つ外側に向かって湾曲する二つの突縁４５５と、各前記突縁４５５に設置し且つ各前記ポジションベース２４４の前記第二螺設孔２４５に向かって開設する第四螺設孔４５６とを包括しており、各前記第四螺設孔４５６は、各前記第三螺設部材４５４を貫通させて各前記第三螺設部材４５４を各前記ポジションベース２４４の各前記第二螺設孔２４５に螺設させるために用い、各前記凸嵌合部４４を各前記ポジションベース２４４に固定している。なお、本発明の第一、第三及び第四実施例において、各前記凸嵌合部４４に前記第三環状凹スロット４４１、前記窪み穴４４２或いは前記第一凹溝４４３を設けることができるが、これに限定するものではない。また、本発明の第一、第三及び第四実施例において、前記第一螺設コンポーネント４５を前記第一螺設部材４５１或いは前記第二螺設部材４５２、もしくは前記固定片４５３をこれ等第三螺設部材４５４と組み合わせることで、各前記凸嵌合部４４を各前記ポジションベース２４４に固定するように設けることができるが、これに限定するものではない。
【００１４】
次に、図７乃至図１０は本発明に係る第五実施例乃至第八実施例を示しており、第一実施例の図面及び説明を併せて参照すると、前記接続ユニット４は、前記第一ジョイント部２４に接続して各前記載置コンポーネント２を互いに組合わせる少なくとも一つの第二螺設コンポーネント４６を包括している。図７のように、本発明に係る第五実施例において、前記第二螺設コンポーネント４６は、各前記第一ジョイント部２４を接続するつなぎ部材４６１と、前記つなぎ部材４６１を固定する少なくとも一つの第四螺設部材４６２とを包括している。その他の実施例において、前記接続管体４１及び前記一対の固定部材４３は、前記つなぎ部材４６１及び前記第四螺設部材４６２に置き換えることができ、前記本体２１のうちの一つをもう一つの前記本体２１と同じ或いは異なる照射角度に設置し、前記第四螺設部材４６２で前記つなぎ部材４６１を固定することで、図２或いは図３のような実施方法を呈することができる。
図８のように、本発明に係る第六実施例において、前記第二螺設コンポーネント４６は、各前記第一ジョイント部２４を接続するソケット４６３と、前記ソケット４６３を固定する少なくとも一つの第五螺設部材４６４とを包括しており、前記ソケット４６３は、前記ソケット４６３の周囲に設置して前記第五螺設部材４６４を螺設させるために用いる少なくとも一つの第五螺設孔４６５とを包括し、前記ソケット４６３を前記第一ジョイント部２４に当接するように固定している。その他の実施例において、前記接続管体４１及び前記一対の固定部材４３は、前記ソケット４６３及び前記第五螺設部材４６４に置き換えることができ、前記本体２１のうちの一つをもう一つの前記本体２１と同じ或いは異なる照射角度に設置し、前記第五螺設部材４６４で前記ソケット４６３を固定することで、図２或いは図３のような実施方法を呈することができる。なお、本実施例において、前記第五螺設部材４６４及び前記第五螺設孔４６５を二つ設けているが、これに限定するものではない。
図９のように、本発明に係る第七実施例において、前記第一ジョイント部２４は、凹凸で接合する形式で各前記載置コンポーネント２を互いに組合わせるように設置することができ、そのうち、前記第一ジョイント部２４の中間部分に凹形状を設け、これに対応して組合わせるもう一つの前記第一ジョイント部２４の中間部分に凸形状を設けており、前記第二螺設コンポーネント４６は、各前記第一ジョイント部２４を接続し合うように固定する少なくとも一つの第六螺設部材４６６を包括しており、各前記載置コンポーネント２を互いに組合わせており、本実施例において、前記第六螺設部材４６６を一つ設けているが、これに限定するものではない。また、その他の実施例において、前記第一ジョイント部２４は、上下に凹凸を設け且つ互いにかみ合ように組合わされて複数の螺設部材で固定し、各前記載置コンポーネント２を互いに組合わせている。
また、図１０のように、本発明に係る第八実施例において、前記接続管体４１は、前記第一ジョイント部２４の前記貫通孔２４１に直接接続して一体的に形成する態様とすることができ、前記第一ジョイント部２４のうちの一つに一体的に接続する前記接続管体４１をもう一つの前記第一ジョイント部２４の前記貫通孔２４１に貫設して前記第二螺設コンポーネント４６で接続するように固定し、各前記載置コンポーネント２を互いに組合わせている。本実施例において、前記第二螺設コンポーネント４６は、少なくとも一つの第七螺設部材４６７を包括しており、前記第七螺設部材４６７は、前記接続管体４１に一体的に接続する前記第一ジョイント部２４のうちの一つともう一つの前記第一ジョイント部２４とを接続するように固定するために用いているが、これに限定するものではない。また、その他の実施例において、第一実施例乃至第六実施例にあるような螺設方法を利用し、各前記載置コンポーネント２を互いに組合わせることもできるが、これに限定するものではない。
【００１５】
以上のことから、本発明は、前記接続管体を各前記第一ジョイント部の前記貫通孔に貫設して各前記ポジションベースに固定し、各前記載置コンポーネントを互いに組合わせることにより、螺設素子が外側に露出して外観に影響を及ぼすという問題を改善している。また、本発明は、前記一対の螺設孔及び前記一対の螺設孔に合わせる前記一対の固定部材により、前記載置コンポーネントのうちの一つが異なる角度でもう一つの載置コンポーネントに組合わせることができる。そのため、前記ＬＥＤ防爆ランプ組合せ構成は様々な照射角度且つ外観的に好ましい態様に達することができる。
【符号の説明】
【００１６】
Ａ１    防爆ランプ
Ａ２    接続ベース
Ｂ１    ネジ
１      ＬＥＤ防爆ランプ組合せ構成
２      載置コンポーネント
２１    本体
２２    収容室
２３    凸設部
２３１  フランジ
２３２  第一螺設孔
２４    第一ジョイント部
２４１  貫通孔
２４２  螺設孔
２４３  第一環状凹スロット
２４４  ポジションベース
２４５  第二螺設孔
２５    第二ジョイント部
２５１  納置空間
２５２  固定台
２５３  第一コンパートメント
２５４  第二コンパートメント
２５５  ネジ山部分
３      ＬＥＤ発光素子
３０    嵌設部
３１    凸ボード
３２    第三螺設孔
３３    螺設部材
４      接続ユニット
４１    接続管体
４１１  第二環状凹スロット
４１２  パッキン
４１３  通路
４２    密封リング
４３    固定部材
４４    凸嵌合部
４４１  第三環状凹スロット
４４２  窪み穴
４４３  第一凹溝
４５    第一螺設コンポーネント
４５１  第一螺設部材
４５２  第二螺設部材
４５３  固定片
４５４  第三螺設部材
４５５  突縁
４５６  第四螺設孔
４６    第二螺設コンポーネント
４６１  つなぎ部材
４６２  第四螺設部材
４６３  ソケット
４６４  第五螺設部材
４６５  第五螺設孔
４６６  第六螺設部材
４６７  第七螺設部材
５      電気ケーブル密封コンポーネント
５１    防爆部材
５１１  通孔
５２    圧着ボルト
５２１  挿通孔
５２２  螺接部
５３    パッド
６      電気ケーブル
７      位置固定片
【図１】
2016018777.tif 000003
【図２】
2016018777.tif 000004
【図３Ａ】
2016018777.tif 000005
【図３Ｂ】
2016018777.tif 000006
【図４】
2016018777.tif 000007
【図５】
2016018777.tif 000008
【図６】
2016018777.tif 000009
【図７】
2016018777.tif 000010
【図８】
2016018777.tif 000011
【図９】
2016018777.tif 000012
【図１０】
2016018777.tif 000013